(57)【要約】【課題】祈願する人に御利益を感じさせ易く、その人の、目標達成の為のモチベーションを高める事ができるシステムを実現する。【解決手段】おみくじ筒１と、複数本のおみくじ棒２、２と、複数種類ずつのおみくじ紙３、３及び祈願用紙４、４と、祈願玉１０、１０と、満願玉１１、１１と、図示しない祈願用紙結束体とを備える。おみくじ筒１から抜き取った１本のおみくじ棒２に設けられた複数の表示部９ａ〜９ｄのうち、祈願の内容に対応する何れかの表示部に記載された符号に対応して、おみくじ紙３と、祈願用紙４と、祈願玉１０とを受け取る。祈願用紙４に祈願する内容を書き込んで上記祈願用紙結束体に結び付け、上記おみくじ紙３と祈願用玉１０とは持ち帰る。【選択図】図１
0003130409.tif 000002
【実用新案登録請求の範囲】
【請求項１】
おみくじ筒と、複数本のおみくじ棒と、複数種類ずつのおみくじ紙及び祈願用紙と、祈願用紙結束体とを備え、
このうちのおみくじ筒は、筒状の本体と、この本体の下端開口部を塞ぐ底板と、この本体の上端開口部を塞ぐ天板と、この天板の一部に形成された小通孔とを備えており、
上記各おみくじ棒は、それぞれがこの小通孔を１本ずつ通過可能な太さと、上記底板と上記天板との間隔よりも小さい長さとを有し、それぞれの複数個所に設け、互いに異なる色彩を付した表示部に符号を記載したものであり、
上記各おみくじ紙は、上記各おみくじ棒の表示部に付した色彩と符号とに対応した種類存在して、これら各種類毎に、これら色彩と符号とに対応して互いに異なる占いの内容を記載したものであり、
上記各祈願用紙は、上記各おみくじ棒の表示部に付した色彩に対応した種類存在して、祈願する内容を記載できる部分が設けられているものであり、
上記祈願用紙結束体は、上記祈願用紙を結び付ける為のものである、
祈願札付きおみくじセット。
【請求項２】
少なくとも各おみくじ棒の表示部の種類に対応した種類の祈願玉を備えた、請求項１に記載した祈願札付きおみくじセット。
【請求項３】
それぞれが祈願玉よりも大径の満願玉を、この祈願玉と同じ種類備えた、請求項２に記載した祈願札付きおみくじセット。
【考案の詳細な説明】
【技術分野】
【０００１】
この考案は、神社・仏閣で祈願する人を対象として提供するおみくじ関連物品の改良に関する。具体的には、祈願する人に御利益がある様に感じさせ易い、祈願札付きおみくじセットを実現する事を目的としている。
【背景技術】
【０００２】
正月を中心として神社・仏閣で祈願する人（参詣者）は多いし、その際、おみくじを引いて祈願する人も多い。この場合に広く使用されているおみくじは、例えば特許文献１、２等から広く知られている様に、おみくじ筒と、複数本のおみくじ棒と、複数種類のおみくじ紙とを備えたものが使用される。この様な従来から広く知られているおみくじは、上記各おみくじ棒を上記おみくじ筒から１本ずつ抜き出し、当該おみくじ棒に記載された符号（一般的には数字）に該当するおみくじ紙を、当該おみくじ棒を引いた人に渡すものである。又、おみくじを引いた人が、上記おみくじ紙を、神社仏閣の境内に植えられた木の枝等に結び付けて祈願する事も、広く行なわれている。又、祈願した人に渡す祈願用の物品に関しても、例えば特許文献３に記載される等により、従来から広く知られ、且つ、広く実施されている。
【０００３】
一方、神社・仏閣で祈願する人の願い事は多種であり、大きく分けても、「健康、家内安全、交通安全」、「恋愛、良縁」、「金運、商売」、「仕事、厄除け、学業」等に分けられる。従来のおみくじの仕組みは、これらを一緒にして占うものであった。即ち、上記願い事が何れであっても、おみくじ筒から抜き出したおみくじ棒に記載された符号に該当するおみくじ紙を渡す様にしていた。即ち、おみくじ棒の種類とおみくじ紙の種類とは、１対１で対応していた。この為、上記おみくじ紙には、祈願する可能性があるほぼ総ての場合、即ち、「健康、家内安全、交通安全」、「恋愛、良縁」、「金運、商売」、「仕事、厄除け、学業」の総ての場合に就いて、それぞれ記載されていた。
【０００４】
この様な従来のおみくじの仕組みの場合には、祈願する人に渡されるおみくじ紙に、その人が祈願する内容と関係のない内容迄記載されている為、その人が感じる御利益が薄れる可能性がある。又、単におみくじ紙を木の枝等に結び付けても、当該おみくじ紙には、その人が祈願する内容が具体的に記載されている訳ではないので、御利益を感じにくいのが実情である。神社・仏閣への祈願は、祈願する人に御利益を感じさせる事で、その人のモチベーションを高め、目的達成の為の努力を促す事が重要である為、祈願する人に感じさせる御利益が薄れる事は好ましくない。
【０００５】
これに対して、神社・仏閣でおみくじ等の提供をする場所に、上記「健康、家内安全、交通安全」、「恋愛、良縁」、「金運、商売」、「仕事、厄除け、学業」毎に異なるおみくじ筒を用意し、各おみくじ筒から抜き取ったおみくじ棒毎に異なるおみくじ紙を渡す様にすれば、御利益を感じる程度を向上させる面からは好ましい。但し、初詣等で混雑する状態では、上記おみくじ筒を複数種類用意し、祈願の種類に応じてこのおみくじ筒を正しく使い分ける事には、困難が予想される。
又、おみくじ紙にその人が祈願する内容が具体的に記載されていない為、当該おみくじ紙を木の枝等に結び付けても御利益を感じにくい点は、改善されない。
更に、従来は、おみくじと祈願用の物品とは別個に提供していたが、この様な仕組みに関しても、当該物品を渡された人に御利益を感じさせて努力を促す面からは、好ましくない。
【０００６】
【特許文献１】実用新案登録第３０２３６０８号公報
【特許文献２】実用新案登録第３１０９２６７号公報
【特許文献３】実開平６−６８５７９号公報
【考案の開示】
【考案が解決しようとする課題】
【０００７】
本考案は、上述の様な事情に鑑みて、祈願する人に御利益を感じさせ易く、その人の、目標達成の為のモチベーションを高め易い、祈願札付きおみくじセットを実現すべく考案したものである。
【課題を解決するための手段】
【０００８】
本考案の祈願札付きおみくじセットは、おみくじ筒と、複数本のおみくじ棒と、複数種類ずつのおみくじ紙及び祈願用紙と、祈願用紙結束体とを備える。
このうちのおみくじ筒は、筒状の本体と、この本体の下端開口部を塞ぐ底板と、この本体の上端開口部を塞ぐ天板と、この天板の一部に形成された小通孔とを備える。
又、上記各おみくじ棒は、それぞれがこの小通孔を１本ずつ通過可能な太さと、上記底板と上記天板との間隔よりも小さい長さとを有するもので、それぞれの複数個所に表示部を設けている。そして、これら各表示部に、互いに異なる色彩を付すると共に、符号（例えば１〜２０程度の数字）を記載している。
又、上記各おみくじ紙は、上記各おみくじ棒の表示部に付した色彩と符号とに対応した種類存在して、これら各種類毎に、これら色彩と符号とに対応して互いに異なる占いの内容を記載している。
又、上記祈願用紙は、上記各おみくじ棒の表示部に付した色彩に対応した種類存在する。そして、祈願する内容を記載できる部分が設けられている。
更に、上記祈願用紙結束体は、上記祈願用紙を結び付ける為のもので、例えば、おみくじを提供する神社・仏閣の境内に張った紐等である。
【０００９】
上述した様な本考案の祈願札付きおみくじセットを実施する場合に、好ましくは、請求項２に記載した様に、少なくとも上記各おみくじ棒の表示部の種類に対応した種類の祈願玉を備える。
更に好ましくは、請求項３に記載した様に、それぞれが祈願玉よりも大径の満願玉を、この祈願玉と同じ種類備える。
【考案の効果】
【００１０】
上述の様に構成する本考案の祈願札付きおみくじセットは、次の様にして、参詣者の祈願に供する。
先ず、神社・仏閣に参詣して祈願する人は、社務所等で、自らおみくじ筒を手にして、このおみくじ筒からおみくじ棒を１本だけ取り出す。そして、このおみくじ棒の複数個所に設けられた表示部のうち、自身が祈願する内容に応じた色彩を付した、何れか一つの表示部に記載された符号を読み取り、神官、巫女、僧侶等の取り扱い者に、当該色彩（が表す祈願の種類）及び符号を伝える。
すると、上記取り扱い者は、上記色彩及び符号に応じたおみくじ紙と、この色彩に応じた祈願用紙とを、上記祈願する人に渡す。
そして、この祈願する人は、上記おみくじ紙によって自らの運勢を読み取り、このおみくじ紙を持ち帰る。又、上記祈願用紙に祈願の内容を書き込んでから、この祈願用紙を、境内に張った紐等の祈願用紙結束体に結び付ける。
【００１１】
神社・仏閣に参詣して祈願する人は、この様な一連の動作により、神仏の御利益を感じて、目標達成の為のモチベーションを、効果的に高める事ができる。
又、請求項２に記載した様に、上記おみくじ紙と共に、祈願する内容に応じた祈願玉を持ち帰る様にすれば、上記モチベーションをより高める事ができる。
更に、請求項３に記載した様に、上記祈願玉よりも大径の満願玉を備え、祈願した事柄が叶えられた場合に、上記社務所等でこの祈願玉と満願玉とを取り替える（祈願玉を社務所等に返還し、代わりに満願玉を持ち帰る）様にすれば、次の、より大きな目標に対するモチベーションを高める事ができる。
前述の様に構成し、上述の様に使用する本考案の祈願札付きおみくじセットによれば、祈願する人が御利益程度を向上させて、その人の、目標達成の為のモチベーションを効果的に高められる状態での提供が可能になる。
【考案を実施するための最良の形態】
【００１２】
図１は、総ての請求項に対応する、本考案の実施の形態の１例を示している。本例の祈願札付きおみくじセットは、図１の（Ａ）に示したおみくじ筒１と、図１の（Ｂ）に示した複数本のおみくじ棒２、２と、図１の（Ｃ）に示した複数種類ずつのおみくじ紙３、３と、図１の（Ｄ）に示した祈願用紙４、４と、図示しない祈願用紙結束体とを備える。
このうちのおみくじ筒１は、（Ａ）に示す様に、木板を接着、ねじ止め等により組み合わせる事により造られたもので、正六角筒状の本体５と、この本体５の下端開口部を塞ぐ底板６と、この本体５の上端開口部を塞ぐ天板７と、この天板７の一部に形成された小通孔８とを備える。この小通孔８は、上記本体５の内周面の角部近傍位置に形成している。この理由は、上記おみくじ筒１内に収納した上記各おみくじ棒２、２を、このおみくじ筒１を揺する等の、適度の努力をする事により取り出せる様にする為である。
【００１３】
又、上記各おみくじ棒２、２は、（Ａ）の上部及び（Ｂ）に示す様に、例えば木又は竹製の丸棒状で、それぞれが上記小通孔８を１本ずつ通過可能な太さ（外径）と、上記底板６と上記天板７との間隔よりも小さい長さとを有する。即ち、上記各おみくじ棒２、２の太さは、上記小通孔８の内径よりも十分に小さいが、この小通孔８の内径の１／２よりも大きくしている。従って、上記各おみくじ棒２、２は、１本ずつであればこの小通孔８を容易に通過できるが、２本以上が同時に通過する事はない。又、上記各おみくじ棒２、２の外周面で、軸方向に関して互いに離隔した複数個所（図示の例では４個所）位置には、それぞれの表示部９ａ〜９ｄを設けている。
【００１４】
上記各表示部９ａ〜９ｄは、上記各おみくじ棒２、２を構成する丸棒の一部を削り取る事により、当該部分に平坦面を形成して成る。この様に形成した、上記各表示部９ａ〜９ｄには、互いに異なる色彩を付すると共に、符号を記載している。このうちの色彩に就いては、おみくじを引いた人が祈願すると考えられる内容に応じて、複数種類用意している。本例の場合には、上記各表示部９ａ〜９ｄを４個所設けており、このうちの１個所に、「健康、家内安全、交通安全」に対応する色彩として緑色を、他の１個所に、「恋愛、良縁」に対応する色彩として赤色を、他の１個所に、「金運、商売」に対応する色彩として金色若しくは黄色を、残りの１個所に、「仕事、厄除け、学業」に対応する色彩として青色を、それぞれ付している。色彩の配列順序は、上記各おみくじ棒２、２毎に同じであっても良いが、好ましくはこれら各おみくじ棒２、２毎に異ならせる。更に、上記各表示部９ａ〜９ｄには、上記色彩と共に、数字（例えば、１〜２０）、平仮名（例えば、「い」〜「ね」）等の符号を付している。これら各表示部９ａ〜９ｄに付した符号に関しては、上記各おみくじ棒２、２毎に、互いに異ならせる。１本のおみくじ棒で、上記各表示部９ａ〜９ｄに付した符号は、同じであっても良いが、好ましくは、互いに異ならせる。上記各おみくじ棒２、２毎に色彩の配列順序を変えたり、１本のおみくじ棒２で上記各表示部９ａ〜９ｄに付した符号を互いに異ならせる理由は、当該おみくじ棒２を引いた人に規則性を感じさせず、モチベーションを高める為の御利益を感じ易くする為である。
【００１５】
又、前記各おみくじ紙３、３は、（Ｃ）に示す様に、上記各おみくじ棒２、２の表示部９ａ〜９ｄに付した色彩と符号との積に対応して、種類存在する。例えば、この色彩の種類が４種類で、これら各表示部９ａ〜９ｄに付した符号の種類が２０種類であれば、上記各おみくじ紙３、３の種類は、４×２０＝８０種類となる。好ましくは、これら各おみくじ紙３、３の色彩は、上記各表示部９ａ〜９ｄの色彩に対応して（本例の場合には４種類に）異ならせる。この様なおみくじ紙３、３には、上記各種類（８０種類）毎に、互いに異なる占いの内容を記載している。又、これら各おみくじ紙３、３は、おみくじを提供する社務所等に設けた棚に、整理した状態で収納しておく。
【００１６】
又、前記各祈願用紙４、４は、（Ｄ）に示す様に、上記各おみくじ棒２、２の表示部９ａ〜９ｄに付した色彩に対応した種類、即ち、本例の場合には、４種類存在する。そして、祈願する内容を記載できる部分が設けられている。この様な祈願用紙４、４に関しても、上記各表示部９ａ〜９ｄの色彩に対応して異ならせる。この様な祈願用紙４、４に就いても、おみくじを提供する社務所等に設けた棚に、整理した状態で収納しておく。
更に、前記祈願用紙結束体は、上記各祈願用紙４、４を結び付ける為のもので、例えば、おみくじを提供する神社・仏閣の境内で、おみくじを提供する社務所、或いは社殿の近傍部分に張った、上記各祈願用紙４、４と同じ様に色分けした紐等である。祈願する者は、その者が手にしている祈願用紙４を、当該祈願用紙４と同じ色の紐等に結び付ける。
【００１７】
更に、本例の祈願札付きおみくじセットは、上記各おみくじ棒２、２の表示部９ａ〜９ｄの種類に対応して、（Ｅ）に示した祈願玉１０、１０と、それぞれがこれら各祈願玉１０、１０よりも大径の、（Ｆ）に示した満願玉１１、１１とを備える。これら祈願玉１０、１０及び満願玉１１、１１は、ガラス、高機能樹脂、セラミックス等の、着色が容易な材料により球形に構成したもので、それぞれの表面の色彩を、上記各表示部９ａ〜９ｄの色彩に対応して（本例の場合には４種類に）異ならせている。
【００１８】
上述の様な、おみくじ筒１と、複数本のおみくじ棒２、２と、複数種類ずつのおみくじ紙３、３及び祈願用紙４、４と、祈願玉１０、１０と、満願玉１１、１１とを備える、本例の祈願札付きおみくじセットは、次の様にして、参詣者の祈願に供する。
先ず、神社・仏閣に参詣して祈願する人は、社務所等で、自ら上記おみくじ筒１を手にして、このおみくじ筒１から上記おみくじ棒２を１本だけ取り出す。そして、この取り出したおみくじ棒２の複数個所に設けられた表示部９ａ〜９ｄのうち、自身が祈願する内容に応じた色彩を付した、何れか一つの表示部に記載された符号を読み取る。例えば、商売繁盛を祈願する人は、金色（又は黄色）の表示部に記載された符号を読み取り、その符号を、神官、巫女、僧侶等の取り扱い者に、当該色彩（が表す祈願の種類である商売繁盛）、及び、読み取った符号を伝える。
【００１９】
すると、上記取り扱い者は、上記色彩（が表す祈願の種類である商売繁盛）、及び、伝えられた符号に応じたおみくじ紙３と、この色彩に応じた祈願用紙４と、祈願玉１０とを、上記祈願する人に渡す。
そして、この祈願する人は、上記おみくじ紙３によって自らの運勢を読み取り、このおみくじ紙３を、上記祈願玉１０と共に持ち帰る。又、必要に応じてこの読み取った内容を勘案しつつ、上記祈願用紙４に祈願の内容を書き込んでから、この祈願用紙４を、境内に張った紐等の祈願用紙結束体に結び付ける。
【００２０】
神社・仏閣に参詣して祈願する人は、この様な一連の動作により、神仏の御利益を感じて、目標達成の為のモチベーションを、効果的に高める事ができる。
そして、祈願した事柄が叶えられた場合には、再び祈願した神社・仏閣を訪れて、上記社務所等で、上記祈願玉１０と前記満願玉１１とを取り替える。即ち、この祈願玉１０を社務所等に返還し、代わりにこの満願玉１１を持ち帰る。この様な動作により、次の、より大きな目標に対するモチベーションを高める事ができる。
この様に、本例の祈願札付きおみくじセットによれば、祈願する人が御利益程度を向上させて、その人の、目標達成の為のモチベーションを効果的に高める状態での、おみくじ紙３や祈願用物品（祈願玉１０）の提供が可能になる。
【図面の簡単な説明】
【００２１】
【図１】本考案の実施の形態の１例を示す斜視図である。
【符号の説明】
【００２２】
１    おみくじ筒
２    おみくじ棒
３    おみくじ紙
４    祈願用紙
５    本体
６    底板
７    天板
８    小通孔
９ａ〜９ｄ  表示部
１０    祈願玉
１１    満願玉
【図１】
0003130409.tif 000003
【手続補正書】
【提出日】平成19年1月18日(2007.1.18)
【手続補正１】
【補正対象書類名】実用新案登録請求の範囲
【補正対象項目名】請求項１
【補正方法】変更
【補正の内容】
【請求項１】
おみくじ筒と、複数本のおみくじ棒と、複数種類ずつのおみくじ紙及び祈願用紙と、祈願用紙結束体とを備え、
このうちのおみくじ筒は、筒状の本体と、この本体の下端開口部を塞ぐ底板と、この本体の上端開口部を塞ぐ天板と、この天板の一部に形成された小通孔とを備えており、
上記各おみくじ棒は、それぞれがこの小通孔を１本ずつ通過可能な太さと、上記底板と上記天板との間隔よりも小さい長さとを有し、それぞれの複数個所に設け、互いに異なる色彩を付した表示部に符号を記載したものであり、
上記各おみくじ紙は、上記各おみくじ棒の表示部に付した色彩と符号とに対応した種類存在して、これら各種類毎に、これら色彩と符号とに対応して互いに異なる占いの内容を記載したものであり、
上記各祈願用紙は、祈願札となるものであって、上記各おみくじ棒の表示部に付した色彩に対応した種類存在して、祈願する内容を記載できる部分が設けられているものであり、
上記祈願用紙結束体は、上記祈願用紙を結び付ける為のものである、
祈願札付きおみくじセット。
【手続補正２】
【補正対象書類名】明細書
【補正対象項目名】０００８
【補正方法】変更
【補正の内容】
【０００８】
本考案の祈願札付きおみくじセットは、おみくじ筒と、複数本のおみくじ棒と、複数種類ずつのおみくじ紙及び祈願用紙と、祈願用紙結束体とを備える。
このうちのおみくじ筒は、筒状の本体と、この本体の下端開口部を塞ぐ底板と、この本体の上端開口部を塞ぐ天板と、この天板の一部に形成された小通孔とを備える。
又、上記各おみくじ棒は、それぞれがこの小通孔を１本ずつ通過可能な太さと、上記底板と上記天板との間隔よりも小さい長さとを有するもので、それぞれの複数個所に表示部を設けている。そして、これら各表示部に、互いに異なる色彩を付すると共に、符号（例えば１〜２０程度の数字）を記載している。
又、上記各おみくじ紙は、上記各おみくじ棒の表示部に付した色彩と符号とに対応した種類存在して、これら各種類毎に、これら色彩と符号とに対応して互いに異なる占いの内容を記載している。
又、上記祈願用紙は、祈願札となるものであって、上記各おみくじ棒の表示部に付した色彩に対応した種類存在する。そして、祈願する内容を記載できる部分が設けられている。
更に、上記祈願用紙結束体は、上記祈願札である祈願用紙を結び付ける為のもので、例えば、おみくじを提供する神社・仏閣の境内に張った紐等である。
【手続補正３】
【補正対象書類名】明細書
【補正対象項目名】００１０
【補正方法】変更
【補正の内容】
【００１０】
上述の様に構成する本考案の祈願札付きおみくじセットは、次の様にして、参詣者の祈願に供する。
先ず、神社・仏閣に参詣して祈願する人は、社務所等で、自らおみくじ筒を手にして、このおみくじ筒からおみくじ棒を１本だけ取り出す。そして、このおみくじ棒の複数個所に設けられた表示部のうち、自身が祈願する内容に応じた色彩を付した、何れか一つの表示部に記載された符号を読み取り、神官、巫女、僧侶等の取り扱い者に、当該色彩（が表す祈願の種類）及び符号を伝える。
すると、上記取り扱い者は、上記色彩及び符号に応じたおみくじ紙と、この色彩に応じた祈願用紙とを、上記祈願する人に渡す。
そして、この祈願する人は、上記おみくじ紙によって自らの運勢を読み取り、このおみくじ紙を持ち帰る。又、上記祈願用紙に祈願の内容を書き込んでから、この祈願用紙を、境内に張った紐等の祈願用紙結束体に結び付ける。即ち、この祈願用紙が祈願札となる。
【手続補正４】
【補正対象書類名】明細書
【補正対象項目名】００１６
【補正方法】変更
【補正の内容】
【００１６】
又、前記各祈願用紙４、４は、祈願札となるべきものであって、（Ｄ）に示す様に、上記各おみくじ棒２、２の表示部９ａ〜９ｄに付した色彩に対応した種類、即ち、本例の場合には、４種類存在する。そして、祈願する内容を記載できる部分が設けられている。この様な祈願用紙４、４に関しても、上記各表示部９ａ〜９ｄの色彩に対応して異ならせる。この様な祈願用紙４、４に就いても、おみくじを提供する社務所等に設けた棚に、整理した状態で収納しておく。
更に、前記祈願用紙結束体は、上記各祈願用紙４、４を結び付ける為のもので、例えば、おみくじを提供する神社・仏閣の境内で、おみくじを提供する社務所、或いは社殿の近傍部分に張った、上記各祈願用紙４、４と同じ様に色分けした紐等である。祈願する者は、その者が手にしている祈願用紙４を、当該祈願用紙４と同じ色の紐等に結び付ける。
【手続補正５】
【補正対象書類名】明細書
【補正対象項目名】００１９
【補正方法】変更
【補正の内容】
【００１９】
すると、上記取り扱い者は、上記色彩（が表す祈願の種類である商売繁盛）、及び、伝えられた符号に応じたおみくじ紙３と、この色彩に応じた祈願用紙４と、祈願玉１０とを、上記祈願する人に渡す。
そして、この祈願する人は、上記おみくじ紙３によって自らの運勢を読み取り、このおみくじ紙３を、上記祈願玉１０と共に持ち帰る。又、必要に応じてこの読み取った内容を勘案しつつ、上記祈願用紙４に祈願の内容を書き込んでから、この祈願用紙４を、境内に張った紐等の祈願用紙結束体に結び付ける。即ち、この祈願用紙４が、祈願札となる。